(57)【特許請求の範囲】
【請求項１】
交換接続機能を有する主装置、該主装置に接続された複数個の電話機を備え、それぞれの電話機からダイヤルボタンを使用して他の相手電話機を呼出して通話する内線通話機能、及び各電話機からダイヤルボタンでダイヤルすることにより放送用スピーカと接続し呼出し放送する呼出し放送機能を有するボタン電話装置であって、
前記各電話機には前記呼出し放送に応答するためのそれぞれに番号を割り付けた複数個のランプスイッチを設け、
前記主装置に、記憶装置を備えると共に、前記呼出し放送機能により呼出し放送時、呼出し人が使用する電話機の前記ランプスイッチの一つを押下すると、該呼出し人が使用する電話機の内線番号及び該押下したランプスイッチの番号を前記記憶装置に記憶し、前記各電話機に設けられた前記ランプスイッチの対応するランプスイッチを点灯又は点滅し、該呼出し放送に応じた被呼出し人が最寄りの電話機の点灯又は点滅するランプスイッチを押下すると、前記記憶装置に記憶されているランプスイッチの番号と照合し、一致すると該記憶装置に記憶されている内線番号の電話機と前記被呼出し人が使用する電話機を接続すると共に、該点灯又は点滅しているランプスイッチを消灯する機能を設けたことを特徴とするボタン電話装置。
【発明の詳細な説明】
【０００１】
【発明が属する技術分野】
本発明は交換接続機能を有する主装置に複数の電話機が接続され、内線呼出し機能を具備するボタン電話装置に関するものである。
【０００２】
【従来の技術】
従来より複数の電話機が設置されている会場等の広い場所において、会場の来客又は、居場所の定まっていない人を内線電話で呼出し連絡を行なう場合、呼出し人は以下に述べる方法で連絡を行なってきた。通常の方法は、呼出し人は電話機にて放送用スピ−カ、又は、特定の電話機のスピ−カにアクセスを行ない、このスピ−カからの放送により自分の内線番号を告げ（例えば、「何々様内線００００番に電話をお掛け下さい」等のメッセージを放送）、受話器を於いて連絡を待つ。これに応答して被呼出し人は最寄りの電話機で指定された内線番号をダイヤルし所定の電話機を呼出し通話を行なう。
【０００３】
その他の方法として、呼出し人は電話機にて放送用スピ−カまたは、特定の電話機の内部スピ−カにアクセスを行ない、このスピ−カからの放送により応答特番（応答用に特別に設けられた電話番号）を告げ、そのままの状態で応答を待つ。これに対し被呼出し人は最寄りの電話機で指定された応答特番をダイヤルすることにより、所定の電話機と接続され通話を行なう。
【０００４】
【発明が解決しようとする課題】
しかしながら、上記説明の連絡方法は何れも自分の電話番号又は、応答特番を音声で通知し、ダイヤル操作で連絡するために被呼出し人の番号の聞き違え、または、ダイヤル番号の押し違えによって連絡不能になることがあると云う問題があった。
【０００５】
本発明は上述の点に鑑みてなされたもので、上記問題点を除去し、簡単な操作で居場所の定まっていない相手を呼び出すことが可能なボタン電話装置を提供することを目的とする。
【０００６】
【課題を解決するための手段】
上記課題を解決するため本発明は、交換接続機能を有する主装置、該主装置に接続された複数個の電話機を備え、それぞれの電話機からダイヤルボタンを使用して他の相手電話機を呼出して通話する内線通話機能、及び各電話機からダイヤルボタンでダイヤルすることにより放送用スピーカと接続し呼出し放送する呼出し放送機能を有するボタン電話装置であって、各電話機には呼出し放送に応答するためのそれぞれに番号を割り付けた複数個のランプスイッチを設け、主装置に、記憶装置を備えると共に、呼出し放送機能により呼出し放送時、呼出し人が使用する電話機のランプスイッチの一つを押下すると、該呼出し人が使用する電話機の内線番号及び該押下したランプスイッチの番号を記憶装置に記憶し、各電話機に設けられたランプスイッチの対応するランプスイッチを点灯又は点滅し、該呼出し放送に応じた被呼出し人が最寄りの電話機の点灯又は点滅するランプスイッチを押下すると、記憶装置に記憶されているランプスイッチの番号と照合し、一致すると該記憶装置に記憶されている内線番号の電話機と被呼出し人が使用する電話機を接続すると共に、該点灯又は点滅しているランプスイッチを消灯する機能を設けたことを特徴とする。
【０００７】
ボタン電話装置を上記のように構成することにより、被呼出し人は従来のように指定された電話番号をダイヤルする必要はなく、従って、間違いにより連絡不能になることも少なくなる。なお、上記ランプスイッチは、呼出し人が押下し、被呼出し人が応答するまでの間、点灯又は点滅動作する。
【０００８】
【実施例】
以下本発明の一実施例を図面に基づいて詳細に説明する。図１は本発明のボタン電話装置のブロック構成を示す図である。図示するように本発明のボタン電話装置は局線に接続された主装置１及び該主装置１に接続された放送用スピ−カ２、複数の電話機３を具備する。
【０００９】
上記主装置１は局線１０を処理する局線処理部１−２、各電話機３への通話路を交換接続する通話路スイッチ１−１、これらを制御するＣＰＵ（中央処理装置）１−３、プログラム等を格納するＲＯＭ（リ−ドオンリ・メモリ）１−４、デ−タを格納するＲＡＭ（ランダムアクセス・メモリ）１−５、放送用スピ−カ２を接続するインタフェ−ス１−６、電話機３を接続するインタフェ−ス１−７を具備する。電話機３は操作部３−１、通話部３−２及び呼出音部３−３を具備する。
【００１０】
図２は図１に示す電話機の外観を示す図である。図示するように、電話機３はボタン電話機と呼ばれる電話機で、ダイヤルボタンＤや応答用のランプスイッチＬ１、Ｌ２、Ｌ３（詳細後述）、送受話器３−２−１（又はマイク、スピ−カ）を具備し、ダイヤルボタンＤ及びランプスイッチＬ１，Ｌ２，Ｌ３は上記操作部３−１に属し、上記送受話器３−２−１は通話部３−２に属する。呼出音部３−２は呼出し音を鳴動させる。
【００１１】
局線１０からの信号（外線）は局線処理部１−２で処理され、制御信号がＣＰＵ１−３へ入力される。ＣＰＵ１−３は通話路スイッチ１−１を制御し、該当する電話機３を接続し通話路を形成する。また、主装置１に接続された複数の電話機３は互いにダイヤルボタンＤを使用して相手を呼出し、主装置１の通話路スイッチ１−１を介して通話（内線通話）を行なうことが出来るようになっている。また、各電話機３からダイヤルボタンＤでダイヤルすることにより放送用スピ−カ２と接続し、呼出し放送することもできる。
【００１２】
以降は放送用スピ−カ２を使用して居場所の定まっていない相手を呼出し連絡する手順及び動作を説明する。まず、呼出し人は電話機３（何れでもよい）の送受話器３−２−１を取上げ、ランプスイッチＬ１（使用中でないランプスイッチ）を押下する。このスイッチ信号は、インタフェ−ス１−７を介して主装置１のＣＰＵ１−３へ送信される。ＣＰＵ１−３はＲＡＭ１−５へ該電話機３の番号（内線番号）及びランプスイッチの番号Ｌ１を記憶すると共に、全部の電話機３のランプスイッチＬ１を点灯又は点滅させる。続いて、呼出し人は電話機３のダイヤルボタンＤで放送用スピ−カ２をアクセスするための番号をダイヤルし、放送用スピ−カ２と接続し呼出し放送を行なう。
【００１３】
被呼出し者は最寄りの電話機３の送受話器３−２−１を取り、点灯又は点滅しているランプスイッチＬ１を押下する。該ランプスイッチＬ１を押下したスイッチ信号はインタフェ−ス１−７を介してＣＰＵ１−３へ入力される。ＣＰＵ１−３はＲＡＭ１−５に記憶されているランプスイッチの番号Ｌ１と照合し一致することを確認し、ＲＡＭ１−５に記憶されている番号（内線番号）の電話機３（呼出し人が使用している電話機）と、被呼出し人の電話機３を通話路スイッチ１−１を操作して接続し、呼出し人と被呼出し人との通話を可能にする。
【００１４】
それまで点灯又は点滅していたランプスイッチＬ１は該電話機３の接続時に消灯され、ＲＡＭ１−５に記憶されたデ−タ（内線番号）も消去される。なお、上記ランプスイッチＬ１，Ｌ２，Ｌ３は、呼出し人が押下し、被呼出し人が応答するまでの間、点灯又は点滅動作する。
【００１５】
上記説明したように本実施例によれば呼出し放送時、被呼出し人は最寄りの電話機３の点灯又は点滅している応答用ランプスイッチＬ１（又はＬ２、又はＬ３）を押下するだけで呼出し人と通話することが出来るので、従来のようにダイヤル操作の間違いにより連絡不能になることも少なくなる。
【００１６】
【発明の効果】
以上説明したように本発明によれば、下記のような優れた効果が期待できる。各電話機には呼出し放送に応答するためのそれぞれに番号を割り付けた複数個のランプスイッチを設け、呼出し放送機能により呼出し放送時、呼出し人が使用する電話機のランプスイッチの一つを押下すると、該呼出し人が使用する電話機の内線番号及び該押下したランプスイッチの番号を記憶装置に記憶し、各電話機に設けられたランプスイッチの対応するランプスイッチを点灯又は点滅し、該呼出し放送に応じた被呼出し人が最寄りの電話機の点灯又は点滅するランプスイッチを押下すると、記憶装置に記憶されているランプスイッチの番号と照合し、一致すると該記憶装置に記憶されている内線番号の電話機と被呼出し人が使用する電話機を接続すると共に、該点灯又は点滅しているランプスイッチを消灯する機能を主装置に設けたので、ランプスイッチを押下するという簡単な操作で、呼出し人の使用する電話機と接続でき、被呼出し人は従来のように指定された電話番号をダイヤルする必要はなく、間違いによる連絡不能になることも少なくなる。
【図面の簡単な説明】
【図１】本発明のボタン電話装置のブロック構成を示す図である。
【図２】図１に示す電話機の外観図である。
【符号の説明】
１          主装置
１−１      通話路スイッチ
１−２      局線処理部
１−３      ＣＰＵ（中央処理装置）
１−４      ＲＯＭ（リ−ドオンリ・メモリ）
１−５      ＲＡＭ（ランダムアクセス・メモリ）
１−６      インタフェ−ス
１−７      インタフェ−ス
２          放送用スピ−カ
３          電話機
３−１      操作部
３−２      通話部
３−２−１  送受話器
３−３      呼出し音部
【図１】
0003993254.tif 000002
【図２】
0003993254.tif 000003